(57)【要約】【目的】上靴、運動靴等の靴洗い作業の手間と労力を軽減するため、靴（６）を洗濯機で洗っても、大きな異音も出ず、靴（６）も傷めず、しかも、洗浄効果が高く、耐久性のあるブラシ付き洗濯用ネットを提供する。【構成】熱可塑性合成樹脂製で、小さな円盤状ブラシ台（１）の片面に、丈夫な毛束（３）を設け、裏面に洗濯用ネット（Ａ）の網目を丁度、通る位の取り付け用凸部（４）を設けた軽量ブラシ（Ｂ）を、丈夫な洗濯用ネット（Ａ）の内側に毛先が内側を向くように、取り付け用凸部（４）を網目を通して外側に出し、外側に出た部分を網目の周囲に溶着する方法で、入れた靴（６）を毛（２）で保持できる位の間隔から毛（２）で包み込める位の間隔で、多数取り付ける事を特徴とする。【選択図】　　　　　図１
2004141585.tif 000002
【特許請求の範囲】
【請求項１】
丈夫な軽いブラシを丈夫な洗濯用ネットの内側に、毛先が内側を向くように、尚、靴を入れた時、靴の外側に毛先が良く当たるよう、靴を毛で保持できる位の間隔から毛で包み込める位の間隔で、多数取り付けたブラシ付き洗濯用ネツト。
【発明の詳細な説明】
【０００１】
【発明の属する技術分野】
本発明は上靴、運動靴等の靴を洗濯機で洗うための洗濯用ネットに関するものである。
【０００２】
【従来の技術】
従来、上靴、運動靴等の靴を洗うのは、ブラシによる手洗いが主で、何足も洗う場合、大変な作業であった。又、人によっては靴をそのまま洗濯機で洗っていたが、この場合、靴が直接、洗濯槽の回転翼や内壁に当たって、ゴトゴトと言うような大きな異音が出たり、靴を傷めたりしていた。尚、汚れ落ちも良くなかつた。
【０００３】
【発明が解決しようとする課題】
本発明は、上靴、運動靴等の靴洗い作業を手間と労力をかけず、洗濯機で出来るような、靴洗い用のブラシ付き洗濯用ネットを提供することにある。
【０００４】
【課題を解決するための手段】
合成樹脂製で薄くて軽いブラシ台の片面に洗濯機の水流で靴が当たっても、容易に変形しないような材質、太さ、長さの丈夫な毛束を植毛した軽いブラシを、袋状、筒状の丈夫な洗濯用ネットの内側に、毛先が内側を向くように、尚、靴を入れた時、靴の外側に毛先が良く当たるよう、靴を毛で保持できる位の間隔から毛で包み込める位の間隔で多数取り付ける。又、丈夫な毛束の変わりに丈夫な毛を密集させた軽いブラシでもよい。
【０００５】
【発明の実施の形態】
以上のような構成であるから洗濯機で靴を洗う場合、一足の片方が入るようなサイズのブラシ付き洗濯用ネットに、片方づつそれぞれ入れて洗う、すると、洗濯機の水流で取り付けた軽いブラシや靴が動き毛先が靴の外側を擦る。よって、外側の汚れを落す。尚、取り付けた軽いブラシの毛が緩衝材になるので靴が直接、洗濯槽の回転翼や内壁に当たる事はない。
【０００６】
【実施例】
本発明の実施例を図面について説明する。
（イ）　塩化ビニール樹脂、ポリプロピレンなどの熱可塑性合成樹脂製で、小さな円盤状ブラシ台（１）の片面にナイロン、ポリプロピレン製などの丈夫な毛束（３）を一つ設け、裏面に、ナイロン、ポリエステルなどの合成繊維製で丈夫な洗濯用ネット（Ａ）の網目を丁度、通る位の取り付け用凸部（４）を一つ設けた軽量ブラシ（Ｂ）を射出成形で一体に形成する。
（ロ）　上記軽量ブラシ（Ｂ）を、洗濯用ネット（Ａ）の内側に毛先が内側を向くように、取り付け用凸部（４）を網目を通して外側に出し、外側に出た部分を網目の周囲に溶着する方法で、入れた靴（６）を毛（２）で保持できる位の間隔から毛（２）で包み込める位の間隔で、多数取り付けたものである。又、丈夫な合成繊維製ネットに軽量ブラシ（Ｂ）を上記のような方法、間隔で、多数取り付けてから靴（６）の出し入れ用フアスナー（５）を設けたブラシ付き洗濯用ネットに加工しても良い。
【０００７】
以上のような構成で、靴（６）の大きさにより、円盤状ブラシ台（１）は、厚さ１〜１０ｍｍ位、直径３〜１５ｍｍ位の円形が良い。毛（２）は丈夫な材質で、直径０．１〜０．５ｍｍ位、毛束（３）は直径２〜１０ｍｍ位、長さ３〜１５ｍｍ位が良い。取り付け用凸部（４）は、洗濯用ネット　（Ａ）の大きさにより、直径０．５〜８ｍｍ位、長さ１〜１０ｍｍ位の円柱状が良いが、先を細くした突起状でも良い。尚、毛束（３）、取り付け用凸部（４）は、複数でもよい。又、円盤状ブラシ台（１）、毛（２）、毛束（３）、取り付け用凸部（４）の横断面は円形でなくてもよい。
【０００８】
その他、洗濯用ネット（Ａ）の網目から外に出た、取り付け用凸部（４）を熱、及び圧力をかけて網目より大きく、または、鉤状に変形させ、網目より抜けなくする方法で取り付けてもよい。尚、強力な接着剤で取り付けてもよい。
以下，他の軽いブラシと取り付け方法を図面について説明する。
【０００９】
図３は弾力性のある熱可塑性合成樹脂製の長板状ブラシ台（７）の片面に植毛用凸部（８）を多数設け、そこにそれぞれ毛束（３）を植毛し、裏面に洗濯用ネット（Ａ）の網目の大きさと間隔に合った取り付け用凸部（４）を多数設けた長板状ブラシで、これも上記のように取り付け用凸部（４）を溶着、熱および圧力による変形、強力な接着剤による方法等により、上記のような間隔で洗濯用ネット（Ａ）の内側に多数取り付ける。尚、入れる靴（６）の大きさにより、長板状ブラシ台（７）は厚さ０．５〜２ｍｍ位、幅１０〜４ｍｍ位、長さ２〜５０ｃｍ位が良い。又、植毛用凸部（８）は直径３〜１０ｍｍ位、高さ２〜１０ｍｍ位の円形の台状が良い。
【００１０】
図４は合成樹脂製の板状ブラシ台（９）の片面に丈夫な毛束（３）を多数植毛し、裏面に板状ブラシ台（９）より広めの丈夫な合成繊維製布（１０）を溶着、又は強力な接着剤などで強固に貼り付けた布付き板状ブラシで、これは毛先が内側を向くように、洗濯用ネット（Ａ）の内側に合成繊維製布（１０）を当て、板状ブラシ台（９）を囲むように丈夫な合成繊維製糸で縫い付ける方法により、上記のような間隔で多数取り付ける。尚、靴（６）の大きさにより板状ブラシ台（９）は厚さ１〜８ｍｍ位、幅１０〜４０ｍｍ位、長さ１〜１０ｃｍ位が良い。又、合成繊維製布（１０）は厚さ０．３〜１．５ｍｍ位で板状ブラシ台（９）の縁より５〜１５ｍｍ位広めが良い。
【００１１】
図５は丈夫な合成繊維製の帯状ブラシ台（１１）の片面に縁をのこして、丈夫な毛（２）を洗濯機の水流で靴（６）が当たっても、容易に変形しない位密集させて植毛した柔軟性のある帯状ブラシである。これは、洗濯用ネット（Ａ）の内側に毛先が内側を向くように裏面をあて、縁を丈夫な合成繊維製糸で縫い付ける方法により、上記のような間隔で多数取り付ける。尚、靴（６）の大きさにより帯状ブラシ台（１１）は厚さ０．５〜３ｍｍ位、幅８〜４０ｍｍ位、長さ１０〜５０ｃｍ位が良い。又、縁は３〜１５ｍｍ位あればよい。
【００１２】
【発明の効果】
本発明は、上記のような構成であるから次のような効果がある。
【００１３】
靴洗い作業が靴底の泥等を落して、ブラシ付き洗濯用ネットに入れ、洗濯機で洗うだけなので、手間と労力を軽減できる。尚、全自動洗濯機の場合、洗いから脱水まで自動で出来る。
【００１４】
このブラシ付き洗濯用ネットは柔軟性があるので、靴（６）の大きさ、形状を問わず、毛先が靴（６）の外側に良く当たり、洗浄効果が高い。
【００１５】
取り付けた軽いブラシの毛（２）が緩衝材になるので、靴（６）が直接、洗濯機の回転翼や内壁に当たる事はない。よって、大きな異音が出たり、靴を傷めたりする事がない。
【００１６】
軽いブラシの、取り付け用凸部（４）を、網目を通して、溶着、熱および圧力による変形、強力な接着剤等による方法、又は、板状ブラシ台（９）の裏面に強固に貼り付けた合成繊維製布（１０）や合成繊維製の帯状ブラシ台（１１）の縁を丈夫な合成繊維製糸で縫いつける方法等により取り付けているので、軽いブラシが容易にずれたり、外れたりせず耐久性がある。
【００１７】
図６に示すような、靴（６）の内側の形状に似せた靴状ブラシ台（１２）に、足首部の上部を除いて、丈夫な毛束（３）を植毛した、比重１位から２位の少し小さ目の靴状ブラシを、靴（６）の内側に入れてから適当なサイズの、ブラシ付き洗濯用ネットに入れて洗濯機で洗えば、内側洗い用の靴状ブラシが、靴（６）の内側から抜け出る事もなく、水流で前後左右に動くので、内側も外側も同時に洗える。
【図面の簡単な説明】
【図１】実施例のブラシ付き洗濯用ネットに靴を入れた状態を示す一部を切り欠いた斜視図である。
【図２】軽量ブラシの斜視図である。
【図３】長板状ブラシの斜視図である。
【図４】布付き板状ブラシの斜視図である。
【図５】帯状ブラシの斜視図である。
【図６】靴状ブラシの斜視図である。
【符号の説明】
Ａ　洗濯用ネット
Ｂ　軽量ブラシ
１　円盤状ブラシ台
２　毛
３　毛束
４　取り付け用凸部
５　ファスナー
６　靴
７　長板状ブラシ台
８　植毛用凸部
９　板状ブラシ台
１０　合成繊維製布
１１　帯状ブラシ台
１２　靴状ブラシ台
【図１】
2004141585.tif 000003
【図２】
2004141585.tif 000004
【図３】
2004141585.tif 000005
【図４】
2004141585.tif 000006
【図５】
2004141585.tif 000007
【図６】
2004141585.tif 000008